(57)【特許請求の範囲】
【請求項１】
ファンにより内部に導入された空気を吹出口から吹出す所定の風路を形成する面に、配線用溝部（２ａ）が形成された枠体（１）と、
前記配線用溝部（２ａ）の溝開口に設けられる配線押え部（１０）とを備え、
前記配線押え部（１０）に、イオン発生用の第１の電極（２０）及び第２の電極（２１）を前記風路の途中に支持するための第１の電極支持部（１６）及び第２の電極支持部（１４）が一体形成され、
前記配線押え部（１０）は、前記配線用溝部（２ａ）の溝開口を閉塞するように設けられる押え本体部（１１）と、この押え本体部（１１）に略Ｌ字状に連接された壁板部（１２）とを備え、
前記壁板部（１２）に、前記第１の電極支持部（１６）及び前記第２の電極支持部（１４）が形成された送風装置。
【請求項２】
請求項１記載の送風装置であって、
前記第１の電極（２０）が前記第１の電極支持部（１６）に直接支持されると共に、前記第２の電極（２１）が前記第２の電極支持部（１４）に直接支持され、
前記配線押え部（１０）と、それに一体形成された第１の電極支持部（１６）及び第２の電極支持部（１４）とが、沿面放電により劣化を生じない樹脂により形成された送風装置。
【発明の詳細な説明】
【０００１】
【発明の属する技術分野】
この発明は、送風を行う技術に関し、特に送風される空気をイオン化する技術に関する。
【０００２】
【従来の技術】
従来から、主として室内、或は車内等で使用される空気調和器、空気清浄機等、送風機能を有する機器がある。これらは空気を取込み、温度を調整し、或は正常化して送出す機能をも併有する。しかし、さらに近年では、送風される空気をイオン化する要求も高まっている。
【０００３】
【発明が解決しようとする課題】
ところで、送風される空気をイオン化するためには、所定の枠体に形成される風路の途中にイオン発生用の第１及び第２の電極を設置して、風路内を通過する空気を、前記第１及び第２の電極によりイオン化して外部に送出す必要がある。このため、これら第１及び第２の電極をいかに簡易な構成で前記風路の途中に設置できるかが重要な課題となっている。
【０００４】
そこで、この発明の課題は、イオン発生用の第１及び第２の電極を、可及的に簡易な構成で風路の途中に設置することができる送風装置を提供することにある。
【０００５】
【課題を解決するための手段】
上記課題を解決すべく、請求項１記載の送風装置は、ファンにより内部に導入された空気を吹出口から吹出す所定の風路を形成する面に、配線用溝部（２ａ）が形成された枠体（１）と、前記配線用溝部（２ａ）の溝開口に設けられる配線押え部（１０）とを備え、前記配線押え部（１０）に、イオン発生用の第１の電極（２０）及び第２の電極（２１）を前記風路の途中に支持するための第１の電極支持部（１６）及び第２の電極支持部（１４）が一体形成されたものである。
【０００６】
加えて、請求項１記載の送風装置は、前記配線押え部（１０）は、配線用溝部（２ａ）の溝開口を閉塞するように設けられる押え本体部（１１）と、この押え本体部（１１）に略Ｌ字状に連接された壁板部（１２）とを備え、前記壁板部（１２）に、前記第１の電極支持部（１６）及び前記第２の電極支持部（１４）が形成されたものである。
【０００７】
また、請求項２記載のように、前記第１の電極（２０）が前記第１の電極支持部（１６）に直接支持されると共に、前記第２の電極（２１）が前記第２の電極支持部（１４）に直接支持され、前記配線押え部（１０）と、それに一体形成された第１の電極支持部（１６）及び第２の電極支持部（１４）とが、沿面放電により劣化を生じない樹脂により形成されていてもよい。
【０００８】
【発明の実施の形態】
第１の実施の形態．
以下、この発明の第１の実施の形態に係る送風装置について説明する。なお、本実施の形態では、空気清浄機に採用された送風装置の形態につき説明する。
【０００９】
この送風装置は、図１に示すように、所定の風路を形成する枠体１と、前記枠体１に配設される配線Ｗを押え込み保持する配線押え部１０とを備える。
【００１０】
枠体１は、一方側（図１では紙面表側）が開口する筺状体に形成され、その一主壁部２に空気の吸入口３が形成されると共に、主壁部２の内側に前記吸入口３と対応してファン４が設けられる。ファン４は、主壁部２の略中央部に設けられたモータ５により回転駆動され、そのモータ５は、例えば枠体１の片隅に設けられた駆動制御回路部６により制御可能に構成される。そして、ファン４を、例えば反時計回りに回転させると、外部の空気が吸入口３から矢符ｆに沿って枠体１内に導かれる。
【００１１】
また、枠体１の主壁部２の内側に、前記吸入口３を所定間隔あけて取囲むように壁部７が形成される。この壁部７には、枠体１の一方側（図１では紙面下側）に開口して吹出口８が形成されており、前記ファン４の回転により、前記枠体１内に導かれた空気が壁部７内を反時計回りに回転しながら前記吹出口８を通って矢符Ｆに沿って外部に吹出される。
【００１２】
また、上述のように送風用の風路を形成する上記主壁部２の内面に、壁部７からモータ５に至る配線用溝部２ａが形成される。配線用溝部２ａは、主壁部２の内面に開口する断面略Ｕ字状溝に形成され、電気要素間を接続する所定の配線Ｗが当該配線用溝部２ａ内に収容配置される。例えば、本実施形態では、駆動制御回路部６とモータ５との間を接続する電源線等の配線Ｗを、上記配線用溝部２ａ内に収容配置している。
【００１３】
さらに、壁部７には、前記配線用溝部２ａに連続して切欠部７ａが形成され、配線用溝部２ａ及び切欠部７ａに、配線押え部１０が設けられる。
【００１４】
配線押え部１０は、絶縁性樹脂等により形成されるもので、図１〜図５に示すように、配線用溝部２ａの溝開口を閉塞可能な細長板状の押え本体部１１と、前記切欠部７ａを閉塞可能な板状に形成され前記押え本体部１１の一端側に略Ｌ字状に連接された壁板部１２とを備える。
【００１５】
前記押え本体部１１は、前記配線用溝部２ａの溝開口に嵌め込まれた状態で、その上面を当該溝開口に形成された係止片２ｂにより押え込まれており、これにより、当該配線用溝部２ａから抜止め状態に配設される。また、この際、押え本体部１１は、当該配線用溝部２ａ内に収容された配線Ｗをその内部に押え込んで、当該配線Ｗが配線用溝部２ａ内から外方へ抜出て、風路を妨げるのを防止する機能を有する。
【００１６】
また、壁板部１２の一方面側（押え本体部１１の延設方向と反対方向側）の両側縁部に外側係合部１３が形成されると共に、壁板部１２の他方面側（押え本体部１１の延設方向側）の両側縁部に内側係合部１５が形成される。そして、外側係合部１３と内側係合部１５との間に、切欠部７ａの両側で壁部７を挟込むようにして、壁板部１２を切欠部７ａに配設することにより、当該壁板部１２が切欠部７ａで壁部７の延長上に設置固定されることになる。
【００１７】
また、各内側係合部１５のうち、壁板部１２の一側に形成された内側係合部１５にイオン発生用の第１の電極２０を支持するための第１の電極支持部として第１支柱部１６が立設されると共に、壁板部１２の他側に形成された内側係合部１５に、イオン発生用の第２の電極２１を支持するための第２の電極支持部として一対の第２支柱部１４が立設される。つまり、これら第１の電極支持部としての第１支柱部１６及び第２の電極支持部としての一対の第２支柱部１４は、配線押え部１０に一体形成される。
【００１８】
上記第１支柱部１６の端部には、陶器等のトラッキング性に優れた材料により形成された碍子部１７が取付けられており、この碍子部１７上に針状の第１の電極２０が固定支持される。なお、この碍子部１７は、第１支柱部１６よりも若干太径に形成されており、第１の電極２０と第２の電極２１間の沿面距離をなるべく大きくできるようにしている。また、上記一対の第２支柱部１４の端部に掛渡すようにして、細長板状の第２の電極２１が固定支持される。
【００１９】
そして、壁板部１２を切欠部７ａ内に設置すると、各第１の電極２０及び第２の電極２１が、壁部７の内面からその内側へ所定距離離れた位置で風路の途中に支持されるようになる。この状態で、各第１の電極２０と第２の電極２１との間に電圧を印加すると、両者間に放電が生じ、この放電により風路内を流れる空気がイオン化されるようになる。
【００２０】
以上のように構成された送風装置によると、配線押え部１０に、イオン発生用の第１の電極２０及び第２の電極２１を風路の途中に支持するための第１の電極支持部としての第１支柱部１６及び第２の電極支持部としての一対の第２支柱部１４を一体形成しているため、第１電極２０及び第２の電極２１を支持するための構成部材を、配線押え部１０と別に準備する場合に比べて、その構成部品数を少なくすることができ、それら第１電極２０及び第２の電極２１を可及的に簡易な構成で風路の途中に設置することが可能となる。
【００２１】
なお、本実施の形態では、壁部７に設けられる壁板部１２に第１支柱部１６及び一対の第２支柱部１４を形成しているが、これらを押え本体部１１に一体形成するようにしてもよい。もっとも、本実施の形態では、ファン４の回転により枠体１内に導かれた空気が、矢符ｆの方向に沿って壁部７に向けて吹付けられることになるので、壁板部１２に第１支柱部１６及び一対の第２支柱部１４を一体形成することによって、第１の電極２０及び第２の電極２１を壁部７の近傍で支持するようにした方が、より多くの量の空気をイオン化することができる。
【００２２】
第２の実施の形態．
次に、この発明の第２の実施の形態に係る送風装置について説明する。なお、上記第１の実施の形態における送風装置と同様構成要素については同一符号を付してその説明を省略し、相違点を中心に説明する。
【００２３】
即ち、上記第１の実施の形態では、第１支柱部１６の端部に碍子部１７を介して第１の電極２０を固定支持することにより、第１の電極２０と第２の電極２１間の沿面距離を大きくするようにしていた。しかしながら、これでは、第１支柱部１６及び一対の第２支柱部１４を一体形成した配線押え部１０とは別に碍子部１７という構成部材が必要となってしまう。
【００２４】
そこで、この第２の実施の形態では、図６及び図７に示すように、碍子部１７を無くして、第１の電極２０を直接上記第１支柱部１６に相当する第１支柱部１６Ｂの端部に支持するようにした上で、配線押え部１０と、それに一体形成された第１支柱部１６及び一対の第２支柱部１４とを、第１の電極２０と第２の電極２１との間の沿面放電により劣化を生じない樹脂により形成するようにしている。なお、第２の電極２１については、上記第１の実施の形態で説明したように、一対の第２支柱部１４に直接支持されている。
【００２５】
このような樹脂としては、所定の送風運転環境下（一般的には、温度が３５度±１度，相対湿度が４０〜５０パーセントの条件）において、試験対象となる樹脂表面に墨汁を塗布して、その表面の所定間隔をあけて（一般的には５０ｍｍの間隔をあけて行う）に、イオン発生のために第１の電極２０と第２の電極２１間に印加される電圧及び周波数の条件下で電圧を印加した場合に、発煙や発火等の劣化が生じないような特性を持つプロピレン等の樹脂を、種々の樹脂の中から選定して使用することができる。
【００２６】
本第２の実施の形態に係る送風装置では、上記第１の実施の形態における効果に加えて、第１の電極２０が第１支柱部１６に直接支持されると共に、第２の電極２１が一対の第２支柱部１４に直接支持され、しかも、配線押え部１０と、それに一体形成された第１支柱部１６及び一対の第２支柱部１４とを、沿面放電により劣化を生じない樹脂により形成しているため、上記第１の実施の形態で用いていた碍子部１７が不要となり、第１の電極２０及び第２の電極２１を支持するための構成部品数を減らしてその構成をより簡易なものとすることができる。
【００２７】
【発明の効果】
以上のように、この発明の請求項１記載の送風装置によると、所定の風路を形成する風路形成面部が形成されると共に、その風路形成面部に配線用溝部が形成された枠体と、前記配線用溝部の溝開口に設置される配線押え部とを備え、前記配線押え部に、イオン発生用の第１の電極及び第２の電極を、前記風路の途中に支持するための第１の電極支持部及び第２の電極支持部が一体形成されているため、第１及び第２の電極を風路の途中に配設するための構成の一部が配線押え部に共用されるため、その構成が簡易となる。
【００２８】
また、前記配線押え部は、配線用溝部の溝開口を閉塞するように設けられる押え本体部と、この押え本体部に略Ｌ字状に連接された壁板部とを備え、前記壁板部に、前記第１の電極支持部及び前記第２の電極支持部が形成された構成であるため、第１の電極及び第２の電極を、風路中でより多くの量の空気をイオン化できる位置に配設し易くなる。
【００２９】
また、請求項２記載のように、第１の電極が第１の電極支持部に直接支持されると共に、前記の電極が第２の電極に直接支持され、前記配線押え部と、それに一体形成された第１の電極支持部及び第２の電極支持部とが、沿面放電により劣化を生じない樹脂により形成された構成とすると、第１及び第２の電極を風路の途中に配設するための部品点数が少なくなるため、その構成が簡易となる。
【図面の簡単な説明】
【図１】この発明の第１の実施の形態に係る送風装置を示す平面図である。
【図２】配線押え部及びそれに一体形成された支柱部を示す側面図である。
【図３】同上の配線押え部及びそれに一体形成された支柱部を示す平面図である。
【図４】同上の配線押え部及びそれに一体形成された支柱部を示す正面図である。
【図５】同上の配線押え部及びそれに一体形成された支柱部を示す背面図である。
【図６】この発明の第２の実施の形態に係る配線押え部及びそれに一体形成された支柱部を示す側面図である。
【図７】同上の配線押え部及びそれに一体形成された支柱部を示す正面図である。
【符号の説明】
１  枠体
２ａ  配線用溝部
１０  配線押え部
１１  本体部
１２  壁板部
１４  第２支柱部
１６  第１支柱部
２０  第１の電極
２１  第２の電極
Ｗ  配線
【図１】
0003888043.tif 000002
【図２】
0003888043.tif 000003
【図３】
0003888043.tif 000004
【図４】
0003888043.tif 000005
【図５】
0003888043.tif 000006
【図６】
0003888043.tif 000007
【図７】
0003888043.tif 000008